(57)【要約】【課題】  専用工具を使用せずに上側のヒンジを左右逆側に変更でき、容易に扉の左右開きを変更することができる冷蔵庫を提供すること。【解決手段】  扉２の右側の取付孔２０、および、右側のヒンジ保持部材３の貫通孔３０に差し込まれているヒンジピン４を抜き取って、このヒンジピン４を、扉２の左側の取付孔２０、および、左側のヒンジ保持部材３の貫通孔３０に差し込むことで、扉２の左右開きを簡単に変更することができる。このヒンジピン４は、平板状の摘み部４２を有するので、指で摘みやすい。【選択図】  図１
2006308203.tif 000002
【特許請求の範囲】
【請求項１】
冷蔵庫本体と、
左右両側のそれぞれの上部に取付孔を有する扉と、
上記冷蔵庫本体の左右両側のそれぞれに設けられると共に、上記取付孔の上側でこの取付孔に重なる貫通孔を有するヒンジ保持部材と、
上記貫通孔の上側からこの貫通孔に挿通され上記取付孔に抜き取り自在に差し込まれて上記扉を上記冷蔵庫本体に対して回転可能に取り付けると共に、平板状に形成された上部の摘み部を有するヒンジピンと、
上記扉の下側に配置されると共に上記扉を上記冷蔵庫本体に対して上記ヒンジピンの軸回りに回転可能に取り付ける下ヒンジ部と
を備えることを特徴とする冷蔵庫。
【請求項２】
請求項１に記載の冷蔵庫において、
上記ヒンジピンが上記取付孔に差し込まれた状態で、上記扉と上記ヒンジピンは、上記ヒンジピンの軸回り方向に相互に位置決めされ、
上記ヒンジ保持部材は、上記ヒンジピンの軸に略平行な方向に突設される保持部を有し、この保持部は、上記ヒンジピンの軸側に開口する係止孔を有し、
上記ヒンジピンは、上記ヒンジピンの軸に略垂直な方向に突設されるピン係止部を有し、
上記扉の上記冷蔵庫本体に対する開状態では、上記ピン係止部は、上記係止孔に入り込む一方、
上記扉の上記冷蔵庫本体に対する閉状態では、上記ピン係止部は、上記係止孔から抜け出ることを特徴とする冷蔵庫。
【請求項３】
請求項２に記載の冷蔵庫において、
上記冷蔵庫本体に離脱自在に取り付けられると共に上記ヒンジ保持部材および上記ヒンジピンを覆うカバー部材を備えることを特徴とする冷蔵庫。
【請求項４】
請求項３に記載の冷蔵庫において、
上記ヒンジピンが上記取付孔に差し込まれて上記ピン係止部が上記係止孔に対向する位置にあると共に上記カバー部材が上記冷蔵庫本体に取り付けられた状態で、上記カバー部材は、上記ヒンジピンの上方の近傍に位置する抑止部を有することを特徴とする冷蔵庫。
【請求項５】
請求項３に記載の冷蔵庫において、
上記カバー部材は、弾性変形して、上記冷蔵庫本体から離脱されることを特徴とする冷蔵庫。
【請求項６】
請求項２に記載の冷蔵庫において、
上記ヒンジピンの下端部は、Ｄカット加工を施され、
上記取付孔は、上記ヒンジピンの下端部に対応する形状に形成されていることを特徴とする冷蔵庫。
【請求項７】
請求項２に記載の冷蔵庫において、
上記ヒンジピンのピン係止部は、鍔状に形成されていることを特徴とする冷蔵庫。
【発明の詳細な説明】
【技術分野】
【０００１】
この発明は、例えば、冷蔵庫扉の左右開きを変更することができる冷蔵庫に関する。
【背景技術】
【０００２】
従来の冷蔵庫は、冷蔵庫本体と、左右両側のそれぞれの上部に嵌合穴を有する扉と、上記冷蔵庫本体にねじにて固定されると共に上記扉の嵌合穴に嵌合される軸を有する上側のヒンジとを備えている（実開平１−１７２６９３号公報：特許文献１参照）。
【０００３】
しかしながら、上記従来の冷蔵庫では、上記上側のヒンジは上記ねじにて上記冷蔵庫本体に固定されているので、上記扉の左右開きを変更する場合、上記ねじを外して上記上側のヒンジを上記冷蔵庫本体の左右逆側に付け替える必要があり、上記ねじを着脱する専用工具を必要とし、上記扉の左右開きを変更するには手間がかかっていた。
【特許文献１】実開平１−１７２６９３号公報（第１図）
【発明の開示】
【発明が解決しようとする課題】
【０００４】
そこで、この発明の課題は、専用工具を使用せずに上側のヒンジを左右逆側に変更でき、容易に扉の左右開きを変更することができる冷蔵庫を提供することにある。
【課題を解決するための手段】
【０００５】
上記課題を解決するため、この発明の冷蔵庫は、
冷蔵庫本体と、
左右両側のそれぞれの上部に取付孔を有する扉と、
上記冷蔵庫本体の左右両側のそれぞれに設けられると共に、上記取付孔の上側でこの取付孔に重なる貫通孔を有するヒンジ保持部材と、
上記貫通孔の上側からこの貫通孔に挿通され上記取付孔に抜き取り自在に差し込まれて上記扉を上記冷蔵庫本体に対して回転可能に取り付けると共に、平板状に形成された上部の摘み部を有するヒンジピンと、
上記扉の下側に配置されると共に上記扉を上記冷蔵庫本体に対して上記ヒンジピンの軸回りに回転可能に取り付ける下ヒンジ部と
を備えることを特徴としている。
【０００６】
この発明の冷蔵庫によれば、上記冷蔵庫本体、上記取付孔を有する上記扉、上記冷蔵庫本体に設けられると共に上記貫通孔を有する上記ヒンジ保持部材、上記貫通孔の上側からこの貫通孔に挿通され上記取付孔に抜き取り自在に差し込まれる上記ヒンジピン、および、上記下ヒンジ部を備えるので、上記扉の左右一方の上記取付孔、および、左右一方の上記ヒンジ保持部材の上記貫通孔に差し込まれている上記ヒンジピンを抜き取って、このヒンジピンを、上記扉の左右他方の上記取付孔、および、左右他方の上記ヒンジ保持部材の上記貫通孔に差し込むことで、上記扉の左右開きを簡単に変更することができる。
【０００７】
このように、専用工具を使用せずに上側のヒンジを左右逆側に変更でき、容易に扉の左右開きを変更することができる。また、上記ヒンジピンは、平板状の摘み部を有するので、上記摘み部を指で摘みやすく、上記ヒンジピンの抜き取りまたは差し込みの作業性が向上する。
【０００８】
また、一実施形態の冷蔵庫では、上記ヒンジピンが上記取付孔に差し込まれた状態で、上記扉と上記ヒンジピンは、上記ヒンジピンの軸回り方向に相互に位置決めされ、
上記ヒンジ保持部材は、上記ヒンジピンの軸に略平行な方向に突設される保持部を有し、この保持部は、上記ヒンジピンの軸側に開口する係止孔を有し、上記ヒンジピンは、上記ヒンジピンの軸に略垂直な方向に突設されるピン係止部を有し、
上記扉の上記冷蔵庫本体に対する開状態では、上記ピン係止部は、上記係止孔に入り込む一方、上記扉の上記冷蔵庫本体に対する閉状態では、上記ピン係止部は、上記係止孔から抜け出る。
【０００９】
この一実施形態の冷蔵庫によれば、上記扉の上記冷蔵庫本体に対する開状態では、上記ピン係止部は、上記係止孔に入り込むので、上記ヒンジピンは、上記ヒンジピンの軸方向の上側に、上記ヒンジ保持部材から抜け止めされる。一方、上記扉の上記冷蔵庫本体に対する閉状態では、上記ピン係止部は、上記係止孔から抜け出るので、上記ヒンジピンを上記取付孔から上記ヒンジピンの軸方向に上側へ抜き取ることができる。
【００１０】
このように、上記扉の開状態では、上記ヒンジピンを上記ヒンジ保持部材から抜き取ることができないので、上記扉の開状態で上記扉が落下する危険性がなく、安全性に優れたものになる。
【００１１】
また、上記係止孔によって上記ピン係止部を係脱しているので、構造が簡単で、上記ヒンジピンを抜き差しするとき、上記係止孔は作業の邪魔にならない。
【００１２】
また、一実施形態の冷蔵庫では、上記冷蔵庫本体に離脱自在に取り付けられると共に上記ヒンジ保持部材および上記ヒンジピンを覆うカバー部材を備える。
【００１３】
この一実施形態の冷蔵庫によれば、上記冷蔵庫本体に取り付けられると共に上記ヒンジ保持部材および上記ヒンジピンを覆う上記カバー部材を備えるので、上記扉の閉状態で、上記ヒンジピンを誤って抜き取るおそれがなく、安全性に一層優れたものになる。
【００１４】
また、一実施形態の冷蔵庫では、上記ヒンジピンが上記取付孔に差し込まれて上記ピン係止部が上記係止孔に対向する位置にあると共に上記カバー部材が上記冷蔵庫本体に取り付けられた状態で、上記カバー部材は、上記ヒンジピンの上方の近傍に位置する抑止部を有する。
【００１５】
この一実施形態の冷蔵庫によれば、上記カバー部材は、上記ヒンジピンの上方の近傍に位置する抑止部を有するので、上記ピン係止部が上記係止孔に出入り可能な位置にあって上記ヒンジピンが上記取付孔に確実に差し込まれた状態では、上記抑止部にて上記ヒンジピンの上記取付孔からの抜けを防止することができる。一方、上記ヒンジピンが上記取付孔に確実に差し込まれていない状態では、上記抑止部が、上記ヒンジピンの上方に当接して、上記カバー部材を上記冷蔵庫本体に取り付けることができず、上記ヒンジピンが上記取付孔に確実に差し込まれているか否かを、容易に判断することができる。
【００１６】
また、一実施形態の冷蔵庫では、上記カバー部材は、弾性変形して、上記冷蔵庫本体から離脱される。
【００１７】
この一実施形態の冷蔵庫によれば、上記カバー部材は、弾性変形して、上記冷蔵庫本体から離脱されるので、工具を使わずに、上記カバー部材を上記冷蔵庫本体から容易に着脱することができる。
【００１８】
また、一実施形態の冷蔵庫では、上記ヒンジピンの下端部は、Ｄカット加工を施され、上記取付孔は、上記ヒンジピンの下端部に対応する形状に形成されている。
【００１９】
この一実施形態の冷蔵庫によれば、上記ヒンジピンの下端部は、Ｄカット加工を施され、上記取付孔は、上記ヒンジピンの下端部に対応する形状に形成されているので、簡単な構成で、上記ヒンジピンと上記取付孔とを嵌合することができる。
【００２０】
また、一実施形態の冷蔵庫では、上記ヒンジピンのピン係止部は、鍔状に形成されている。
【００２１】
この一実施形態の冷蔵庫によれば、上記ピン係止部は、鍔状に形成されているので、上記ピン係止部の剛性を大きくできて、上記扉の開状態で、上記ピン係止部の上記係止孔からの抜けを確実に防止できる。
【発明の効果】
【００２２】
この発明の冷蔵庫によれば、上記冷蔵庫本体、上記取付孔を有する上記扉、上記冷蔵庫本体に設けられると共に上記貫通孔を有する上記ヒンジ保持部材、上記貫通孔の上側からこの貫通孔に挿通され上記取付孔に抜き取り自在に差し込まれる上記ヒンジピン、および、上記下ヒンジ部を備えるので、専用工具を使用せずに上側のヒンジを左右逆側に変更でき、容易に扉の左右開きを変更することができる。
【発明を実施するための最良の形態】
【００２３】
以下、この発明を図示の実施の形態により詳細に説明する。
【００２４】
図１は、この発明の冷蔵庫の一実施形態である縦断面図を示している。この冷蔵庫は、冷蔵庫本体１と、扉２と、上記扉２の上側で上記冷蔵庫本体１に設けられるヒンジ保持部材３と、上記扉２を上記ヒンジ保持部材３に対して回転可能に取り付けるヒンジピン４と、上記扉２の下側に配置されると共に上記扉２を上記冷蔵庫本体１に対して上記ヒンジピン４の軸Ｌ回りに回転可能に取り付ける下ヒンジ部６と、上記冷蔵庫本体１に取り付けられると共に上記ヒンジ保持部材３および上記ヒンジピン４を覆うカバー部材５とを備える。すなわち、上記扉２は、上記ヒンジピン４の軸Ｌ回りに回転し、上記冷蔵庫本体１に対して開閉可能になる。
【００２５】
図１に示すこの冷蔵庫は、上記冷蔵庫本体１の上面がテーブル面として利用される、いわゆるテーブル型冷蔵庫である。なお、上記扉２を上下に複数個並列した冷蔵庫であって、この複数の扉２の何れかに、本発明の冷蔵庫を用いてもよい。
【００２６】
上記扉２は、左右両側のそれぞれの上部（上面）に取付孔２０を有する。なお、図示しないが、この取付孔２０は、上記扉２の本体に形成された孔部と、この扉２の本体の孔部に嵌合される筒部材の孔部とを含むようにしてもよい。
【００２７】
図１と図２Ａに示すように、上記ヒンジ保持部材３は、上記冷蔵庫本体１の左右両側のそれぞれに設けられている。具体的に述べると、上記ヒンジ保持部材３は、プレート状であり、上記冷蔵庫本体１の上面に、ねじ等にて取り付けられている。また、上記ヒンジ保持部材３は、上記扉２の上記取付孔２０の上側でこの取付孔２０に重なる貫通孔３０を有する。この貫通孔３０には、上記冷蔵庫本体１のボス部１０が嵌め込まれている。なお、図２Ａでは、上記カバー部材５を省略して描いており、上記ヒンジピン４は、右側の上記ヒンジ保持部材３に差し込まれている。
【００２８】
上記ヒンジピン４は、上記ヒンジ保持部材３の上記貫通孔３０の上側から、この貫通孔３０の内側にある上記ボス部１０の孔部に挿通され、上記扉２の上記取付孔２０に抜き取り自在に差し込まれて、上記扉２を上記冷蔵庫本体１に対して回転可能に取り付ける。
【００２９】
図１と図２Ｂに示すように、上記下ヒンジ部６は、上記扉２の左右両側のそれぞれの下側に配置されると共に上記冷蔵庫本体１に取り付けられる支持部材６１と、この支持部材６１と上記扉２とを相対的に回転可能に連結するピン部６２とを備える。
【００３０】
具体的に述べると、上記扉２は、左右両側のそれぞれの下部に孔部を有し、上記支持部材６１は、上記扉２の下部の孔部に重なる孔部を有する。上記ピン部６２は、上記ピン部６２の軸方向の中央部に、鍔部６２ａを有する。そして、上記ピン部６２の両端部は、それぞれ、上記扉２の下部の孔部と、上記支持部材６１の孔部とに挿入され、上記ピン部６２の鍔部６２ａは、上記扉２の下面と上記支持部材６１との間に挟まれて、上記ピン部６２は、上記扉２と上記支持部材６１とに離脱自在に取り付けられる。なお、図２Ｂでは、上記扉２を省略して描いており、上記ピン部６２は、右側の上記支持部材６１に差し込まれている。
【００３１】
すなわち、図１、図２Ａおよび図２Ｂに示すように、上記冷蔵庫本体１の右側にある上記ヒンジ保持部材３、上記ヒンジピン４および上記下ヒンジ部６により、上記扉２は、上記冷蔵庫本体１に対して上記ヒンジピン４の軸Ｌ回りに回転可能になる。要するに、上記扉２は、右開きになる。
【００３２】
上記扉２と上記ヒンジピン４は、上記ヒンジピン４が上記扉２の上記取付孔２０に差し込まれた状態で、上記ヒンジピン４の軸Ｌ回り方向に相互に位置決めされている。具体的に述べると、上記ヒンジピン４の下端部は、Ｄカット加工を施され、上記扉２の上記取付孔２０は、上記ヒンジピン４の下端部に対応する形状に形成されている。このように、簡単な構成で、上記ヒンジピン４と上記取付孔２０とを嵌合することができる。
【００３３】
図３Ａ、図３Ｂおよび図３Ｃに示すように、上記ヒンジ保持部材３は、上記ヒンジピン４の軸Ｌに略平行な方向に突設される保持部３１を有し、この保持部３１は、上記ヒンジピン４の軸Ｌ側に開口する係止孔３２を有する。
【００３４】
具体的に述べると、上記保持部３１は、板状であり、上記貫通孔３０が形成されている板状の本体部に略垂直になるように設けられている。上記係止孔３２は、上記貫通孔３０側に開口している。
【００３５】
上記ヒンジピン４は、平板状に形成された上部の摘み部４２と、この摘み部４２の下側に位置する中央部のピン係止部４１とを有する。上記摘み部４２は、上記ヒンジピン４の軸Ｌに沿って立設されている。上記ピン係止部４１は、上記ヒンジピン４の軸Ｌに略垂直な方向に突設され、上記ヒンジピン４の軸Ｌ方向からみて略Ｄ形の鍔状に形成されている。
【００３６】
そして、図３Ａ、図３Ｂおよび図３Ｃに示すように、上記扉２の上記冷蔵庫本体１に対する閉状態では、上記ピン係止部４１は、上記係止孔３２から抜け出ている。一方、図４Ａ、図４Ｂおよび図４Ｃに示すように、上記扉２の上記冷蔵庫本体１に対する開状態では、上記ピン係止部４１は、上記係止孔３２に入り込んでいる。
【００３７】
このように、上記扉２の閉状態では、図３Ａ〜図３Ｃに示すように、上記扉２の上記冷蔵庫本体１に対する閉状態では、上記ピン係止部４１は、上記係止孔３２から抜け出るので、上記ヒンジピン４を上記取付孔３０から上記ヒンジピン４の軸Ｌ方向に上側へ抜き取ることができる。
【００３８】
一方、上記扉２の開状態では、上記扉２の回転に追従（連動）して、上記ヒンジピン４が、上記ヒンジピン４の軸Ｌ回りに回転して、図４Ａ〜図４Ｃに示すように、上記ピン係止部４１は、上記係止孔３２に入り込む。したがって、上記ヒンジピン４を上記ヒンジピン４の軸Ｌ方向に沿って上側へ移動させると、上記ピン係止部４１が上記係止孔３２の内面に接触して、上記ヒンジピン４は上記ヒンジ保持部材３から抜け止めされる。このように、上記扉２の開状態では、上記ヒンジピン４は、上記ヒンジ保持部材３から抜き取ることができない。  
【００３９】
図１に示すように、上記カバー部材５は、左右の上記ヒンジ保持部材３，３を同時に覆うように、左右方向に長尺に形成されている。上記カバー部材５は、弾性変形して、上記冷蔵庫本体１の上部の前縁部に着脱される。
【００４０】
上記ヒンジピン４が上記取付孔２０に差し込まれて上記ピン係止部４１が上記係止孔３２に対向する位置にあると共に上記カバー部材５が上記冷蔵庫本体１に取り付けられた状態で、上記カバー部材５は、内側に、上記ヒンジピン４の上方の近傍に位置する抑止部５１を有する。
【００４１】
このように、上記ピン係止部４１が上記係止孔３２に出入り可能な位置にあって上記ヒンジピン４が上記取付孔２０に確実に差し込まれた状態では、上記抑止部５１にて上記ヒンジピン４の上記取付孔２０からの抜けを防止することができる。一方、上記ヒンジピン４が上記取付孔２０に確実に差し込まれていない状態では、上記抑止部５１が、上記ヒンジピン４の上方に当接して、上記カバー部材５を上記冷蔵庫本体１に取り付けることができず、上記ヒンジピン４が上記取付孔２０に確実に差し込まれているか否かを、容易に判断することができる。
【００４２】
次に、上記扉２を右開きから左開きに変更する場合を説明する。
【００４３】
まず、上記カバー部材５を弾性変形させて上記冷蔵庫本体１から取り外す。そして、上記扉２を閉じた状態（すなわち、図３Ａ〜図３Ｃに示すように、上記ピン係止部４１が、上記係止孔３２から抜け出ているとき）で、上記扉２の右側の上記取付孔２０、および、右側の上記ヒンジ保持部材３の上記貫通孔３０に差し込まれている上記ヒンジピン４を抜き取る。
【００４４】
その後、上記扉２を上記冷蔵庫本体１から取り外して、上記ピン部６２を右側の上記支持部材６１から抜き取り、このピン部６２を左側の上記支持部材６１に差し込み、上記扉２の左側の下部の孔部を、上記ピン部６２に差し込ませる。
【００４５】
そして、抜き取った上記ヒンジピン４を、左側の上記ヒンジ保持部材３の上記貫通孔３０、および、上記扉２の左側の上記取付孔２０に差し込むことで、上記扉２を左開きに変更することができる。そして、上記カバー部材５を弾性変形させて上記冷蔵庫本体１に再度取り付ける。このように、専用工具を使用せず、容易に上記扉２の左右開きを変更することができる。
【００４６】
そして、上記扉２を左開きにしたとき、左側の上記ヒンジ保持部材３と、上記ヒンジピン４との位置関係は、図３Ａに示す位置関係と対称な位置関係にある。すなわち、上記扉２を開けていくとき、上記扉２が右開きの場合、図３Ａおよび図４Ａに示すように、上記ピン係止部４１は、上記軸Ｌを中心として反時計回り方向に回転する一方、上記扉２が左開きの場合、上記ピン係止部４１は、上記軸Ｌを中心として時計回り方向に回転する。要するに、上記扉２を左開きにした場合でも、同様に、上記扉２の閉状態では、上記ピン係止部４１は、上記係止孔３２から抜け出ている一方、上記扉２の開状態では、上記ピン係止部４１は、上記係止孔３２に入り込んでいる。
【００４７】
このように、上記扉２が右開きであれ左開きであれ、上記扉２の開状態では、上記ヒンジピン４は、上記ヒンジ保持部材３から抜き取ることができないので、上記扉２の開状態で上記扉２が落下する危険性がなく、安全性に優れたものになる。
【００４８】
また、上記ヒンジピン４は、平板状の摘み部４２を有するので、上記摘み部４２を指で摘みやすく、上記ヒンジピン４の抜き取りまたは差し込みの作業性が向上する。なお、比較例として、上記摘み部４２が円柱状である場合、指で摘む接触面積が小さくなるため、滑りやすくなって、作業性が劣る。さらに、左右開き付け替え作業で、上記ヒンジピン４を抜き取る際、上記扉２の自重で上記ヒンジピン４に力が掛かり、抜けにくくなっているが、本発明のように上記摘み部を平板状にすることで、円柱状に比べて、上記ヒンジピン４を摘みやすくなって確実に抜き取ることができる。
【００４９】
また、上記係止孔３２によって上記ピン係止部４１を係脱しているので、構造が簡単で、上記ヒンジピン４を抜き差しするとき、上記係止孔３２は作業の邪魔にならない。なお、比較例として、上記ヒンジ保持部材３に折り返しを設けてこの折り返し部に上記ピン係止部４１を係脱する場合、上記ヒンジピン４を抜き差しするとき、この折り返し部は作業の邪魔になって、この折り返し部の端面で怪我をすることがある。
【００５０】
また、上記カバー部材５を備えるので、上記扉２の閉状態で、上記ヒンジピン４を誤って抜き取るおそれがなく、安全性に一層優れたものになる。また、上記カバー部材５は、弾性変形して、上記冷蔵庫本体１から離脱されるので、工具を使わずに、上記カバー部材５を上記冷蔵庫本体１から容易に着脱することができる。
【００５１】
また、上記ヒンジピン４のピン係止部４１は、鍔状に形成されているので、上記ピン係止部４１の剛性を大きくできて、上記扉２の開状態で、上記ピン係止部４１の上記係止孔３２からの抜けを確実に防止できる。
【００５２】
なお、この発明は上述の実施形態に限定されない。例えば、上記ピン係止部４１は、鍔状でなく、扇形であってもよく、上記ピン係止部４１および上記係止孔３２は、相互に係脱できれば、どのような形状でもよい。また、上記下ヒンジ部６は、上記扉２の下面に設けられた切り欠き凹部（または凸部）と、上記冷蔵庫本体１に設けられると共に上記切り欠き凹部（または上記凸部）に嵌合する凸部（または切り欠き凹部）とを備えるようにしてもよく、上記下ヒンジ部６は、上記冷蔵庫本体１および上記扉２が相互に回転できる構成であれば、どのような構成でもよい。また、上記カバー部材５を、左右の上記ヒンジ保持部材３，３のそれぞれに別体に設けてもよい。
【図面の簡単な説明】
【００５３】
【図１】本発明の冷蔵庫の一実施形態を示す側面断面図である。
【図２Ａ】冷蔵庫本体の上側の平面図である。
【図２Ｂ】冷蔵庫本体の下側の平面図である。
【図３Ａ】扉の閉状態でのヒンジ保持部材とヒンジピンとの組み付け状態を示す平面図である。
【図３Ｂ】図３Ａの正面断面図である。
【図３Ｃ】図３Ａの側面断面図である。
【図４Ａ】扉の開状態でのヒンジ保持部材とヒンジピンとの組み付け状態を示す平面図である。
【図４Ｂ】図４Ａの正面断面図である。
【図４Ｃ】図４Ａの側面図である。
【符号の説明】
【００５４】
１    冷蔵庫本体
２    扉
２０  取付孔
３    ヒンジ保持部材
３０  貫通孔
３１  保持部
３２  係止孔
４    ヒンジピン
４１  ピン係止部
４２  摘み部
５    カバー部材
５１  抑止部
６    下ヒンジ部
６１  支持部材
６２  ピン部
６２ａ  鍔部
Ｌ  （ヒンジピンの）軸
【図１】
2006308203.tif 000003
【図２Ａ】
2006308203.tif 000004
【図２Ｂ】
2006308203.tif 000005
【図３Ａ】
2006308203.tif 000006
【図３Ｂ】
2006308203.tif 000007
【図３Ｃ】
2006308203.tif 000008
【図４Ａ】
2006308203.tif 000009
【図４Ｂ】
2006308203.tif 000010
【図４Ｃ】
2006308203.tif 000011